(57)【要約】【課題】素人でも手間なく簡単に壁面に取り付けることができる手摺りを提供する。【解決手段】手摺りＡは、固定板部１０ａを基端側に有し先端側に手摺受け板部１０ｂを有した複数のブラケット１０と、ブラケットの手摺受け板部の板厚に合わせた溝幅の差込み溝３５を長さ方向に設け、その差込み溝に手摺受け板部を差し込んでブラケットに連結する手摺棒１５と、手摺棒の径寸法に合わせた口径の有底円筒状をなし、長さ方向に割溝を有するキャップ部２０ａ・２０ａと、その割溝の対向する溝縁から立設する一対の取付板片２０ｂ・２０ｂからなる一対のエンドキャップ２０・２０を備える。そして、手摺棒の差込み溝に手摺受け板部を差し込んでブラケットに手摺棒を連結し、エンドキャップのキャップ部を、取付板片間にブラケットの手摺受け板部を通して手摺棒の両端部に被せ、取付板片間に手摺受け板部を挟んでねじ止めしてブラケットに手摺棒を固定する。【選択図】          図１
2006077448.tif 000002
【特許請求の範囲】
【請求項１】
壁面に固着する固定部を基端側に有する一方、先端側に手摺受け部を有した複数のブラケットと、
該ブラケットの手摺受け部の厚さに合わせた溝幅の差込み溝を長さ方向に設け、その差込み溝に前記手摺受け部を差し込んで前記ブラケットに連結する手摺棒と、
該手摺棒の端部が嵌合可能な有底筒状をなし、長さ方向に割溝を有するキャップ部と、その割溝の対向する溝縁から立設する一対の取付板片とからなる一対のエンドキャップを備え、
該エンドキャップのキャップ部を、前記取付板片間に前記ブラケットの手摺受け部を通して前記手摺棒の両端部にそれぞれ被せる一方、前記取付板片間に前記手摺受け部を挟んでねじ止めして前記ブラケットに前記手摺棒を固定してなることを特徴とする、手摺り。
【請求項２】
前記壁面上の所望手摺取付位置に沿って取り付けるガイドプレートを備え、該ガイドプレートには、その長さ方向に間隔をあけて複数のねじ止め用穴を並設すると共に、下縁に沿って前記ブラケットの固定部の下端を係合する位置決めリブを設け、前記ブラケットを前記ガイドプレートを介して前記壁面に固定してなることを特徴とする、請求項１に記載の手摺り。
【発明の詳細な説明】
【技術分野】
【０００１】
本発明は、ブラケットを用いて手摺棒を壁面に取り付ける構造の手摺りに関する。
【背景技術】
【０００２】
従来、この種の手摺りの中には、たとえば図９（Ａ）・（Ｂ）に示すように、一対のブラケット１・１の基端側に有する固定部１ａをそれぞれ壁面Ｗに固着する一方、先端側の断面円弧板状をなす手摺受け部１ｂに手摺棒２を取り付けて固持したものがある。この従来の手摺り３は、一般に、木ねじ４を固定部１ａに通して木造りの壁面Ｗに深く捩じ込んでブラケット１・１を固着し、他方、手摺受け部１ｂに手摺棒２を押し当てながら、壁面Ｗとの間の隙間ｓにて、木ねじ４を手摺受け部１ｂを通して手摺棒２へ深く捩じ込んで、その手摺棒２を手摺受け部１ｂに固定する比較的堅固な組付け構造にしている。
【発明の開示】
【発明が解決しようとする課題】
【０００３】
ところが、従来、上述したねじ止め構造の手摺り３では、確かに壁面Ｗに対し堅固には組み付けられるが、その組付け時に、手摺棒２を手摺受け部１ｂに押し当てながら、他方で、その動き易い状態にある比較的硬い手摺棒２に、木ねじ４を手摺受け部１ｂに通して手摺棒２に奥深く、しかも適確に捩じ込むことは、そう簡単ではなく、著しく手間と熟練を要する作業である。従って、たとえば、手摺りを必要とすることになった素人が、上記ブラケット１・１や手摺棒２を調達して壁面Ｗに後付けするようなことは、とても容易ではなく、結局、専門業者に取り付けを依頼することが多く、それだけ費用がかかるという課題があった。
【０００４】
そこで、本発明の目的は、素人でも手間なく簡単に壁面に取り付けることができる手摺りを提供することにある。
【課題を解決するための手段】
【０００５】
上記した課題を解決すべく、請求項１に記載の発明による手摺りＡは、たとえば以下に示す図示実施の形態のとおり、壁面Ｗに固着する固定板部１０ａ・１１ａ・１２ａのような固定部を基端側に有する一方、先端側に手摺受け板部１０ｂ・１１ｂ・１２ｂのような手摺受け部を有した複数のブラケット１０・１１・１２と、該ブラケット１０・１１・１２の手摺受け部の厚さに合わせた溝幅の差込み溝３５を長さ方向に設け、その差込み溝に前記手摺受け部を差し込んで前記ブラケット１０・１１・１２に連結する手摺棒１５と、該手摺棒１５の端部が嵌合可能な有底筒状をなし、長さ方向に割溝１９を有するキャップ部２０ａ・２０ａと、その割溝１９の対向する溝縁から立設する一対の取付板片２０ｂ・２０ｂとからなる一対のエンドキャップ２０・２０を備え、該エンドキャップ２０・２０のキャップ部２０ａ・２０ａを、前記取付板片２０ｂ・２０ｂ間に前記ブラケット１０・１２の手摺受け部を通して前記手摺棒１５の両端部にそれぞれ被せる一方、前記取付板片２０ｂ・２０ｂ間に前記手摺受け部を挟んでねじ止めして前記ブラケット１０・１２に前記手摺棒１５を固定してなることを特徴とする。
【０００６】
請求項２に記載の発明は、請求項１に記載の手摺りＡにおいて、たとえば以下に示す図示実施の形態のとおり、前記壁面Ｗ上の所望手摺取付位置に沿って取り付けるガイドプレート２５を備え、該ガイドプレート２５には、その長さ方向に間隔をあけて複数のねじ止め用穴４０〜４４を並設すると共に、下縁に沿って前記ブラケット１０・１１・１２の固定板部１０ａ・１１ａ・１２ａのような固定部の下端を係合する位置決めリブ２５ａを設け、前記ブラケット１０・１１・１２を前記ガイドプレート２５を介して前記壁面Ｗに固定してなることを特徴とする。
【発明の効果】
【０００７】
請求項１に記載の発明によれば、手摺りの取付時は、壁面に固定部を固着したブラケットの手摺受け部を、手摺棒の差込み溝に差し込んでブラケットに手摺棒を連結してから、エンドキャップの取付板片間にブラケットの手摺受け部を通してキャップ部を手摺棒の両端部に被せ、取付板片間に手摺受け部を挟んでねじ止めさえすれば、手摺棒はブラケットに簡単に固定され、従来の如く直接、手摺棒に木ねじ等を奥深く適確に捩じ込むような熟練を必要とせず、専門業者に取り付けを依頼せずとも、素人でも手間なく壁面に取り付けることができる。
【０００８】
加えて、請求項２に記載の発明によれば、ブラケットの取付時は、ガイドプレートの位置決めリブに固定部の下端を係合させてセットすれば、複数のブラケットを手間なく簡単に一線上に位置出しすることができ、この点でも、手摺りの取付作業の手間を一層少なくすることができる。更に、ガイドプレートは、その長さ方向に並設した複数のねじ止め用穴に止めねじを通して壁面へ捩じ込んで固定する構造であるため、たとえ壁面の手摺取付位置の内側が主柱や間柱等の柱材を間隔をあけて配設した壁構造であったとしても、少なくとも何れかの止めねじがねじ止め用穴の背後位置で柱材に捩じ込まれることになる結果、手摺丸棒は、常に柱材にねじ止め状態のガイドプレートに対し固定するブラケットに取り付けることになる。従って、本発明の手摺りでは、事前に、いちいち壁面背後の柱材位置を探すような面倒な作業を必要とせず、また、別途に補強用木板を壁面の手摺取付位置に打ち付けたりする必要もなく、常に壁面背後の堅固な柱材に対し取り付けて支持させることができる。
【発明を実施するための最良の形態】
【０００９】
以下、図面を参照しつつ、本発明の実施の形態について説明する。
【００１０】
図１は、本発明の一例である手摺りの要部を、手摺棒をブラケットに固定する状態において示す斜視図、図２は手摺り全体の構成を示す分解斜視図である。手摺りＡは、複数の、図示例では3個のブラケット１０・１１・１２と、手摺棒１５と、一対のエンドキャップ２０・２０と、ブラケット取付用のガイドプレート２５と、化粧用のプレートカバー３０を用いて組み立てられる構成になっている。
【００１１】
ブラケット１０・１１・１２は、それぞれ金属板を用いて曲げ成形されたもので、図中下部側のＬ板状に屈曲させた固定板部１０ａ・１１ａ・１２ａ（固定部）と、固定板部１０ａ・１１ａ・１２ａから図中上向きの鉛直方向に曲げ延ばした手摺受け板部１０ｂ・１１ｂ・１２ｂ（手摺り受け部）とからなる。手摺受け板部１０ｂ・１１ｂ・１２ｂは、それぞれ図中上部側に、横長矩形に形成した差込み板部分１３を設けて全体にＴ形状に成形してなる。なお、ブラケット１０・１１・１２には、各々の固定板部１０ａ・１１ａ・１２ａに、木ねじ１４のねじ挿通穴１６が設けられている。一方、手摺棒１５の端部を受ける図中両端寄りのブラケット１０・１２には、手摺受け板部１０ｂ・１２ｂに止めねじ１７のねじ穴１８が設けられている。
【００１２】
手摺棒１５は、たとえば木製の丸棒で、長さ方向に縦断した差込み溝３５が設けられている。差込み溝３５は、ブラケット１０・１１・１２の手摺受け板部１０ｂ・１１ｂ・１２ｂの板厚に合わせた溝幅で、且つ差込み板部分１３の高さに合わせた溝深さに加工している。なお、図示手摺棒１５は、無垢の木を加工したものを使用したが、材質としては、樹脂製であってもよく、また、樹脂と木粉を使用して所謂木調に加工したもの等であってもよい。
【００１３】
図示エンドキャップ２０・２０は、金属製で、例えば亜鉛ダイキャストで一体成形し、やや長手なキャップ部２０ａと、一対の矩形な取付板片２０ｂ・２０ｂとからなる。キャップ部２０ａは、手摺棒１５が嵌合可能な、その径寸法に合わせた口径の有底円筒状に形成し、開口縁２１から円形底部２２手前まで長さ方向に割溝１９を有した形状になっている。そして、取付板片２０ｂ・２０ｂは、その割溝１９の対向する溝縁から径方向外向きに平行に立設し、それぞれブラケット１０・１２のねじ穴１８と対応する、止めねじ１７のねじ穴２３を設けてなる。
【００１４】
ガイドプレート２５は、手摺棒１５に対応させた長さの、例えばアルミニウム板からなり、長さ方向にねじ止め用穴４０〜４４を等間隔に並べて、それぞれ上下２段ずつ設けている。そして、図中下縁に沿って断面Ｌ状に曲げ延ばした位置決めリブ２５ａを設け、上縁に沿って係合段部２５ｂを設けてなる。
【００１５】
プレートカバー３０は、ガイドプレート２５に対応させた長さの樹脂製板材からなり、図中下縁に沿って、断面略Ｌ状に曲げ延ばした嵌付凸部３０ａを設ける一方、上縁には、嵌付凸部３０ａと対向する向きに断面略Ｌ状に曲げ延ばした一対の係合突片部３０ｂ・３０ｃを設けてなる。係合突片部３０ｂ・３０ｃは、後述するブラケット１０・１１の固定位置間の間隔と、ブラケット１１・１２の固定位置間の間隔寸法にそれぞれ合わせた長さに形成すると共に、相互間に中央ブラケット１１の幅サイズに合わせた間隔をあけて形成してなる。
【００１６】
さて、上述した構成部品を備える手摺りＡは、これを組み立てて、たとえば壁面Ｗに取り付けるときは、まず図３に示すように木ねじ１４をねじ止め用穴４１・４３に通してガイドプレート２５を壁面Ｗ上の所望手摺取付位置にねじ止めする。
【００１７】
しかる後、図4に示すように、ガイドプレート２５の位置決めリブ２５ａ上に、ブラケット１０の固定板部１０ａ下端を載せ、ねじ挿通穴１６をねじ止め用穴４０と一致させて係合し、木ねじ１４を両穴１６・４０に通してブラケット１０をガイドプレート２５を介し壁面Ｗにねじ止めする。また同様にブラケット１１・１２も、固定板部１１ａ・１２ａの下端を位置決めリブ２５ａ上に載せ、各々ねじ挿通穴１６をねじ止め用穴４２・４４と一致させて係合してから、木ねじ１４でブラケット１１・１２を同じガイドプレート２５を介して壁面Ｗにねじ止めする。すると、図示手摺りＡでは、図５に示すように、ブラケット１０・１１・１２が相互間に所定間隔をあけた各々の固定位置に位置決めセットされると共に、横一線にズレなく位置出しされて壁面Ａ上に固定される。
【００１８】
次いで、手摺棒１５の差込み溝３５に、ブラケット１０・１１・１２の手摺受け板部１０ｂ・１１ｂ・１２ｂに有する差込み板部分１３を差し込み、図１に示すように手摺棒１５をブラケット１０・１１・１２に連結する。
【００１９】
それから、図１中矢示するように、エンドキャップ２０の取付板片２０ｂ・２０ｂ間に、一端寄りブラケット１０の手摺受け板部１０ｂを通してキャップ部２０ａを手摺棒１５の一端部１５ａに被せる。そして、取付板片２０ｂ・２０ｂ間に手摺受け板部１０ｂを挟んだ状態で、止めねじ１７によりねじ止めする（図８も参照）。また同様に、図６に示すように手摺棒１５の他端部にも、エンドキャップ２０のキャップ部２０ａを被せてから、取付板片２０ｂ・２０ｂ間に手摺受け板部１２ｂを挟んだ状態で止めねじ１７によりねじ止めする。こうしてエンドキャップ２０・２０で両端寄りのブラケット１０・１２に手摺棒１５を固定する。
【００２０】
最後に、プレートカバー３０の嵌付凸部３０ａを、図７および図８に示すように、ガイドプレート２５の位置決めリブ２５ａに嵌め付けると共に、係合突片部３０ｂ・３０ｃをガイドプレート２５の係合段部２５ｂに係合させて、プレートカバー３０をガイドプレート２５に被せる。そして、ガイドプレート２５の表側に露出した木ねじ１４の各ねじ頭部をプレートカバー３０で覆って化粧してなる。
【００２１】
ところで、上記手摺りＡによれば、ガイドプレート２５は、その長さ方向に並列した複数のねじ止め用穴４０〜４４に木ねじ１４を通して壁面Ｗに捩じ込んで固定する構造であるため、たとえ壁面Ｗの手摺取付位置の内側が主柱や間柱等の柱材を間隔をあけて配設した壁構造であったとしても、少なくとも何れかの木ねじ１４がねじ止め用穴４０〜４４の背後位置で柱材に捩じ込まれることになる結果、手摺棒１５は、常に柱材にねじ止め状態のガイドプレート２５に固定したブラケット１０・１１・１２に取り付けることになる。従って、手摺りＡでは、事前に、いちいち壁面背後の柱材位置を探すような面倒な作業を必要とせず、また、別途に補強用木板を壁面の手摺取付位置に打ち付けたりする必要もなく、常に壁面背後の堅固な柱材に対し取り付けて支持させることができる。
【図面の簡単な説明】
【００２２】
【図１】本発明の一例である手摺りの要部を、手摺棒をブラケットに固定する状態において示す斜視図である。
【図２】手摺り全体の分解斜視図である。
【図３】ガイドプレートを壁面に取り付ける状態を示す斜視図である。
【図４】ガイドプレートにブラケットを取り付ける状態を示す斜視図である。
【図５】ブラケットに手摺棒を連結する状態を示す斜視図である。
【図６】プレートカバーをガイドプレートに被せる状態を示す斜視図である。
【図７】手摺りを壁面取付状態において示す斜視図である。
【図８】手摺りの構造を壁面取付状態において示す縦断面図である。
【図９】（Ａ）は従来の手摺りの構造を示す平面図、（Ｂ）は側面図である。
【符号の説明】
【００２３】
Ａ                      手摺り
Ｗ                      壁面
１０・１１・１２        ブラケット
１０ａ・１１ａ・１２ａ  ブラケットの固定板部（固定部）
１０ｂ・１１ｂ・１２ｂ  ブラケットの手摺受け板部（手摺り受け部）
１５                    手摺棒
２０                    エンドキャップ
２０ａ                  キャップ部
２０ｂ                  取付板片部
２５                    ガイドプレート
２５ａ                  位置決めリブ
３０                    プレートカバー
３５                    手摺棒の差込み溝
【図１】
2006077448.tif 000003
【図２】
2006077448.tif 000004
【図３】
2006077448.tif 000005
【図４】
2006077448.tif 000006
【図５】
2006077448.tif 000007
【図６】
2006077448.tif 000008
【図７】
2006077448.tif 000009
【図８】
2006077448.tif 000010
【図９】
2006077448.tif 000011